【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
電極配置であって、
観察領域内へ延在する準静的交流電場を生成するための、交流駆動信号を受信する送信電極と、
第１の方向に延在し、受信電極として評価装置に接続されるように構成される第１の電極と、
前記第１の方向とは異なる第２の方向に延在する第２の電極と
を備え、
前記第１の電極を用いて前記準静的交流電場の乱れを評価するために、前記第１の電極の強化された感度プロファイルは、前記第１および第２の電極から受信される信号を結合することによって、または前記第１および第２の電極を容量結合することによって取得される、電極配置。
【請求項２】
前記第１および第２の電極は、前記第２の電極を前記第１の電極に容量結合することによって結合され、前記第２の電極は、電気的に浮動しているか、または高インピーダンス接続を有する、請求項１に記載の電極配置。
【請求項３】
前記容量結合は、前記第１の電極と前記第２の電極との間に接続される離散コンデンサによって実現される、請求項２に記載の電極配置。
【請求項４】
前記容量結合は、前記第１の電極と前記第２の電極との間の容量結合経路によって実現される、請求項２に記載の電極配置。
【請求項５】
前記第１の電極は、第１の受信信号を生成し、前記第２の電極は、第２の受信信号を生成し、前記第１および第２の信号は、制御可能な個々の加重と加算される、請求項１に記載の電極配置。
【請求項６】
単一送信電極は、前記第１および／または第２の電極の下の層内に配置され、前記第１および第２の電極によって受信される前記準静的電場を生成するように構成される、請求項１に記載の電極配置。
【請求項７】
送信層は、前記第１および／または第２の電極の部分的領域のみのカバーを行う、請求項６に記載の電極配置。
【請求項８】
前記第１の電極を備える複数の平行に配置された第１の電極と、
前記第１の電極に対して直角に配置され、前記第２の電極を備える、複数の平行に配置された第２の電極と
を備え、
第１および第２の電極は、行列を形成する、請求項１に記載の電極配置。
【請求項９】
前記第１および第２の電極は、前記送信電極上の異なる層内に配置される、請求項６に記載の電極配置。
【請求項１０】
各電極は、直列に接続された複数の電極セグメントを備える、請求項８に記載の電極配置。
【請求項１１】
各セグメントは、ダイヤモンドの形状を有する、請求項１０に記載の電極配置。
【請求項１２】
各セグメントは、菱形の形状を有する、請求項１０に記載の電極配置。
【請求項１３】
前記第１の電極および前記第２の電極は、それぞれすだれ状構造に配置される、請求項１０に記載の電極配置。
【請求項１４】
内部電極は、それぞれ直列に接続された複数の電極セグメントによって形成される、請求項１０に記載の電極配置。
【請求項１５】
外部電極は、前記外部電極に対して直角に配置される内部電極と容量結合され、直角に配置された内部電極のうちの隣接電極セグメント間の前記容量結合は、前記内部電極のうちの隣接電極セグメントと前記外部電極との間のそれぞれの容量結合とは異なる、請求項１４に記載の電極配置。
【請求項１６】
前記第１および第２の電極の隣接電極セグメントは、それぞれの電極セグメント間の距離によって画定される容量結合を有し、外部電極の電極セグメントと、前記外部電極の電極セグメントに隣接する前記内部電極の電極セグメントとの間の第１の距離は、残りの隣接電極セグメント間の第２の距離とは異なる、請求項１４に記載の電極配置。
【請求項１７】
前記第１および第２の電極は、前記送信電極の上の異なる層内に配置され、外部電極は、それぞれの外部電極に対して直角に配置されている前記内部電極の電極セグメントと部分的に重複する、請求項１４に記載の電極配置。
【請求項１８】
前記第１および第２の電極は、それぞれ内部電極および外部電極を備え、前記外部電極は、受信電極を形成し、前記内部電極は、それぞれ直列に接続された複数の電極セグメントによって形成される、請求項８に記載の電極配置。
【請求項１９】
各セグメントは、ダイヤモンドの形状を有する、請求項１８に記載の電極配置。
【請求項２０】
各セグメントは、菱形の形状を有する、請求項１８に記載の電極配置。
【請求項２１】
前記第１および第２の電極は、前記送信電極の上の異なる層内に配置される、請求項１８に記載の電極配置。
【請求項２２】
前記行列によって画定される空間内に配置される浮動電極セグメントをさらに備える、請求項１０に記載の電極配置。
【請求項２３】
前記送信電極は、前記第１の電極または前記第２の電極と同一層上にあり、前記第１および第２の電極によって受信される前記準静的電場を生成するように構成される、請求項１に記載の電極配置。
【請求項２４】
各電極の機能は、実行時において切り替えられることができる、請求項２３に記載の電極配置。
【請求項２５】
請求項１〜２４のうちの１項に記載の電極配置を備えるシステムであって、前記電極配置は、３次元ジェスチャおよびタッチを評価することのでき、前記システムは、
−少なくとも第１、第２、および第３のポートを有するコントローラをさらに備え、
前記コントローラは、第１または第２の動作モードにおいて動作するように構成され、
第１の動作モードにおいて、
前記コントローラの前記第１のポートは、前記準静的交流電場を生成するために前記送信電極を駆動するように構成されることができ、
前記コントローラの前記第２のポートは、前記送信電極から前記第１の電極によって受信される信号を評価するために、前記第１の電極を検出ユニットと接続するように構成されることができ、
前記コントローラの前記第３のポートは、前記第２の電極に接続し、かつ高インピーダンス状態に切り替えられるように構成され、
第２の動作モードにおいて、
前記コントローラの前記第２および第３のポートは、前記第１および第２の電極を容量測定ユニットと結合させるように構成される、システム。
【請求項２６】
行列に配置された複数の第１の電極および複数の第２の電極と、前記複数の第１の電極のうちの１つおよび前記複数の第２の電極のうちの１つを、前記第２モードにおいて動作中に、前記容量測定ユニットと選択的に結合させるためのマルチプレクサユニットとをさらに備える、請求項２５に記載のシステム。
【請求項２７】
前記第２の方向に延在する複数の第２の電極と、前記複数の第２の電極を前記コントローラから切り離すか、前記複数の第２の電極と接続されたポートを高インピーダンス状態に切り替えるかのいずれかであるように前記第１の動作モードにおいて動作可能なマルチプレクサユニットとをさらに備える、請求項２５に記載のシステム。
【手続補正２】
【補正対象書類名】明細書
【補正対象項目名】００１４
【補正方法】変更
【補正の内容】
【００１４】
さらに別の実施形態によると、３次元センサ配置において使用するための電極行列構造は、−各電極は受信機と結合されるように構成される、内部領域を有する長方形を形成するように配置された第１、第２、第３、および第４の帯形状電極と、−内部領域内に配置され、第１、第２、第３、および第４の電極と容量結合されて、第１、第２、第３、および第４の電極の感度を強化する浮動中心電極とを含んでもよい。
本願明細書は、例えば、以下の項目も提供する。
（項目１）
電極配置であって、
観察領域内へ延在する準静的交流電場を生成するように構成される送信電極と、
第１の方向に延在し、受信電極として評価装置に接続されるように構成される第１の電極と、
前記第１の方向とは異なる第２の方向に延在する第２の電極と、
を備え、
前記準静的交流電場の乱れを評価するために、強化された感度プロファイルが、前記第１および第２の電極を結合することによって取得される、電極配置。
（項目２）
前記第１および第２の電極は、前記第２の電極を前記第１の電極に容量結合することによって結合され、前記第２の電極は、電気的に浮動しているか、または高インピーダンスを有する、項目１に記載の電極配置。
（項目３）
前記容量結合は、前記第１の電極と第２の電極との間に接続される離散コンデンサによって実現される、項目２に記載の電極配置。
（項目４）
前記容量結合は、前記第１の電極と第２の電極との間の容量結合経路によって実現される、項目２に記載の電極配置。
（項目５）
前記第１の電極は、第１の受信信号を生成し、前記第２の電極は、第２の受信信号を生成し、前記第１および第２の信号は、制御可能な個々の加重と加算される、項目１に記載の電極配置。
（項目６）
前記送信電極は、前記第１および／または第２の受信電極の下の層内に配置され、前記第１および第２の受信電極によって受信される前記準静的電場を生成するように構成される、項目１に記載の電極配置。
（項目７）
前記送信層は、前記第１および／または第２の電極の部分的領域のみのカバーを行う、項目６に記載の電極配置。
（項目８）
前記第１の電極を含む複数の平行に配置された第１の電極と、
前記第１の電極に対して直角に配置され、前記第２の電極を含む複数の平行に配置された第２の電極と、
を備え、
第１および第２の電極は行列を形成する、項目１に記載の電極配置。
（項目９）
前記第１および第２の電極は、前記送信電極上の異なる層内に配置される、項目６に記載の電極配置。
（項目１０）
各電極は、直列に接続された複数の電極セグメントを備える、項目８に記載の電極配置。
（項目１１）
各セグメントは、ダイヤモンドの形状を有する、項目１０に記載の電極配置。
（項目１２）
各セグメントは、菱形の形状を有する、項目１０に記載の電極配置。
（項目１３）
前記第１および前記第２の電極は、それぞれすだれ状構造に配置される、項目１０に記載の電極配置。
（項目１４）
前記第１および第２の電極は、それぞれ内部電極および外部電極を備え、前記外部電極は、受信電極を形成する、項目１０に記載の電極配置。
（項目１５）
外部電極は、前記外部電極に対して直角に配置される内部電極と容量結合され、前記内部電極の電極セグメント間の前記容量結合は、前記内部電極の前記電極セグメントと前記外部電極の前記電極セグメントとの間のそれぞれの容量結合とは異なる、項目１４に記載の電極配置。
（項目１６）
前記第１および第２の電極の隣接電極セグメントは、それぞれの電極セグメント間の距離によって画定される容量結合を有し、外部電極の前記電極セグメントと、前記外部電極の前記電極セグメントに隣接する内部電極の前記電極セグメントとの間の第１の距離は、残りの隣接電極セグメント間の第２の距離とは異なる、項目１４に記載の電極配置。
（項目１７）
前記第１および第２の電極は、前記送信電極の上の異なる層内に配置され、外部電極の電極セグメントは、それぞれの外部電極に対して直角に配置される前記内部電極の電極セグメントと部分的に重複する、項目１４に記載の電極配置。
（項目１８）
前記第１および第２の電極は、それぞれ内部電極および外部電極を備え、前記外部電極は、受信電極を形成し、前記内部電極は、それぞれ直列に接続された複数の電極セグメントによって形成される、項目８に記載の電極配置。
（項目１９）
各セグメントは、ダイヤモンドの形状を有する、項目１８に記載の電極配置。
（項目２０）
各セグメントは、菱形の形状を有する、項目１８に記載の電極配置。
（項目２１）
前記第１および第２の電極は、前記送信電極の上の異なる層内に配置される、項目１８に記載の電極配置。
（項目２２）
前記行列によって画定される空間内に配置される浮動電極セグメントをさらに備える、項目１０に記載の電極配置。
（項目２３）
前記送信電極は、前記第１または前記第２の電極と同一層上にあり、前記第１および第２の電極によって受信される前記準静的電場を生成するように構成される、項目１に記載の電極配置。
（項目２４）
各電極の機能は、実行時において切り替えられることができる、項目２３に記載の電極配置。
（項目２５）
３次元ジェスチャおよびタッチを評価することのできる電極構造を備えるシステムであって、
−少なくとも第１、第２、および第３のポートを有するコントローラを備え、
前記電極構造は、
−前記第１のポートと結合される送信電極と、
−第１の方向に延在し、前記第２のポートと結合される第１の電極と、
−前記第１の方向とは異なる第２の方向に延在し、前記第３のポートと結合される第２の電極であって、前記第１の電極と第２の電極との間の容量結合を提供するように前記第１の電極に対して配置される、第２の電極と、
を備え、
前記コントローラは、第１または第２の動作モードにおいて動作するように構成され、
第１の動作モードにおいて、
前記コントローラの前記第１のポートは、交流電場を生成するために前記送信電極を駆動するように構成されることができ、
前記コントローラの前記第２のポートは、前記送信電極から受信される信号を評価するために、前記第１の電極を検出ユニットと接続するように構成されることができ、
前記コントローラの前記第３のポートは、高インピーダンス状態になるように構成され、
第２の動作モードにおいて、
前記コントローラの前記第２および第３のポートは、前記第１および第２の電極を容量測定ユニットと結合させるように構成される、
システム。
（項目２６）
前記第２の方向に延在する複数の第３の電極をさらに備える、項目２５に記載のシステム。
（項目２７）
前記第１の方向に延在する複数の第２の電極をさらに備え、第１および第２の電極は行列に配置される、項目２６に記載のシステム。
（項目２８）
前記複数の第２の電極のうちの１つおよび前記複数の第３の電極のうちの１つを、前記第２モードにおいて動作中に、前記容量測定ユニットと選択的に結合させるためのマルチプレクサユニットをさらに備える、項目２７に記載のシステム。
（項目２９）
前記複数の第３の電極を前記コントローラから切り離すか、前記複数の第３の電極と接続されたポートを高インピーダンス状態に切り替えるかのいずれかであるように動作可能なマルチプレクサユニットをさらに備える、項目２６に記載のシステム。
（項目３０）
３次元位置付けおよびジェスチャセンサ配置および／または投影容量タッチセンサ配置において使用するための電極行列構造であって、
−送信電極を備える第１の層と、
−複数の行および列に配置される電極要素を備える第２の層と、
を備え、
各行および各列の前記電極要素は、各行および列が、別々の電極ラインを画定するように相互に接続され、外部電極ラインは、左および右垂直電極と上および下水平電極を画定し、内部の行および列によって形成される内部電極ラインは、左電極、右電極、上水平電極、および下水平電極に対して配置され、それによって、内部垂直電極ラインは、前記上および下電極と容量結合されて上および下電極ラインの感度を強化し、内部水平電極ラインは前記左および右電極と容量結合されて、左および右電極ラインの感度を強化する、電極行列構造。
（項目３１）
左または右電極ラインの電極セグメントと内部水平電極ラインの隣接セグメントとの間の距離あるいは上または下電極ラインの電極セグメントと内部垂直電極ラインの隣接セグメントとの間の距離は、前記内部垂直および水平電極ラインの隣接電極セグメント間の距離よりも大きい、項目３０に記載の電極行列。
（項目３２）
前記行列の各電極は、菱形形状である、項目３０に記載の電極行列。
（項目３３）
前記行列の各電極は、ダイヤモンド形状である、項目３０に記載の電極行列。
（項目３４）
前記第１の層と第２の層との間に配置される第３の層を備え、水平電極ラインは、前記第２の層内に配置され、垂直電極ラインは、前記第３の層内に配置される、項目３０に記載の電極行列。
（項目３５）
前記第１の層と第２の層との間に配置される第３の層を備え、垂直電極ラインは、前記第２の層内に配置され、水平電極ラインは、前記第３の層内に配置される、項目３０に記載の電極行列。
（項目３６）
前記行および列によって形成される空間内に浮動電極を備える、項目３０に記載の電極行列。
（項目３７）
３次元センサ配置において使用するための電極行列構造であって、
−内部領域を伴う長方形を形成するように配置される第１、第２、第３、および第４の帯形状電極であって、各電極が受信機と結合されるように構成される、帯形状電極と、
−前記内部領域内に配置され、前記第１、第２、第３、および第４の電極と容量結合されて、前記第１、第２、第３、および第４の電極の感度を強化する浮動中央電極と、
を備える、電極行列構造。